(57)【要約】【課題】  かつら製造において使用される頭部型の作成に必要な情報を、被用者自身が自宅等において作成することができる頭部形状記憶装置、頭部形状取得方法および頭部形状復元方法を提供する。【解決手段】  内側面が頭部を包み込む三次元形状をなし、外部側から内部側に向けて連通形成された多数の直線状細孔１３を有するドーム体１１と、前記各細孔に摺動可能に挿入されて保持される棒状をなす複数のピン１２（ｐ１〜ｐ１２）とを備えたことを特徴とする。【選択図】    図１
2005344269.tif 000002
【特許請求の範囲】
【請求項１】
内側面が頭部を包み込む三次元形状をなし、外部側から内部側に向けて連通形成された多数の直線状細孔を有するドーム体と、
前記各細孔に摺動可能に挿入されて保持される棒状をなす複数のピンと、
を備えたことを特徴とする頭部形状記憶装置。
【請求項２】
前記複数のピンの全部または一部のピンには、前記ドーム体の外部側に、当該ピンの長さ方向に摺動可能に保持されて前記ドーム内部側への挿入距離を記憶する挿入距離記憶片が取り付けられていることを特徴とする請求項１に記載の頭部形状記憶装置。
【請求項３】
請求項１または２に記載の頭部形状記憶装置を用いて、前記各ピンの前記ドーム体の内部側の先端が頭部の三次元形状を取得する頭部形状取得方法であって、
前記ドーム体を頭部に装着して各ピンを前記ドーム体内部側の先端が頭皮に当接するように挿入距離を調整した後、前記ドーム体を当該挿入距離を変えることなくまたは当該挿入距離を前記ピンに記憶させて頭部から取り外す、
ことを特徴とする頭部形状取得方法。
【請求項４】
前記各ピンのうちの一本の先端を、指を閉じた掌を額に横に当てたときの、正中線上の、眉上から第２指から第５指までの指幅合計幅分隔てた頭皮上の点に当接させることを特徴とする請求項３に記載の頭部形状取得方法。
【請求項５】
請求項１または２に記載の頭部形状記憶装置を用いた頭部形状復元方法であって、
前記各ピンの前記ドーム体内部側の先端が頭部の三次元形状をなすように調整された前記頭部形状記憶装置の当該ドーム体の内部に固化後に削り出しが可能な成形材を注入するステップ、
前記成形材が固化した後に、前記各ピンを前記ドーム体から抜き取りまたはピン先がドーム体内部側に突出しないように後退させるステップ、
前記成形材を前記ドーム体から脱型するステップ、
前記成形材に形成されている前記各ピンの前記ドーム体内部側の先端の痕跡に基づき、前記成形材を頭部形状に加工して頭部形状型を作成するステップ、
を有することを特徴とする頭部形状復元方法。
【請求項６】
さらに、前記頭部形状型を原型として、新たな頭部型を作成するステップを有することを特徴とする請求項５に記載の頭部形状復元方法。
【請求項７】
前記原型をオス型とするメス型を作成し、当該メス型から前記新たな頭部型を作成することを特徴とする請求項５または６に記載の頭部形状復元方法。
【請求項８】
前記メス型を２層の材料に作成する頭部形状復元方法であって、
前記オス型の材料としてパラフィンを用い、
前記メス型の内側層材料としてシリコンを、外側層として石膏を用いる、
ことを特徴とする請求項７に記載の頭部形状復元方法。
【発明の詳細な説明】
【技術分野】
【０００１】
本発明は、、かつら作成用頭部型の作成技術にかかり、被用者が店舗等に出向くことなく自宅等においてかつら製造に必要な情報を取得することができる頭部形状記憶装置、頭部形状取得方法および頭部形状復元方法に関する。
【背景技術】
【０００２】
従来かつらの製造に際しては、かつらメーカ側では、被用者頭部の脱毛状態を知る必要がある。たとえば、被用者は、かつらメーカの店舗に出向き、店員等が被用者の頭部の脱毛部位を測定し、あるいは頭部の撮影を行う。
ところが、かつら店舗に出向くことを躊躇する被用者も多い。このため、被用を希望する者は、かつらを通信販売の形態での購入を希望することがある。
【発明の開示】
【発明が解決しようとする課題】
【０００３】
しかし、通信販売で取引きされるかつらのほとんどは、既成かつらであり、被用者の脱毛の状態に応じて調整することは不可能に近い。また、被用者自らが頭部を撮影してさらには、脱毛部位を眉間等の基準位置から測定し、写真や脱毛位置の情報を添えて発注することも可能であるが、メーカ側では頭部の正確な立体形状までを把握することができない。
このため、被用者は通信販売により、満足できるかつらを購入すること（すなわち、メーカが被用者に高品質のかつらを提供すること）は不可能であると考えられていた。
【０００４】
本発明の目的は、かつら製造において使用される頭部型の作成に必要な情報を、被用者自身が自宅等において作成することができる頭部形状記憶装置、頭部形状取得方法および頭部形状復元方法を提供することにある。
【課題を解決するための手段】
【０００５】
本発明の頭部形状記憶装置は、内側面が頭部を包み込む三次元形状をなし、外部側から内部側に向けて連通形成された多数の直線状細孔を有するドーム体と、前記各細孔に摺動可能に挿入されて保持される棒状をなす複数のピンとを備えたことを特徴とする。
【０００６】
本発明の頭部形状記憶装置では、前記複数のピンの全部または一部のピンには、前記ドーム体の外部側に、当該ピンの長さ方向に摺動可能に保持されて前記ドーム内部側への挿入距離を記憶する挿入距離記憶片が取り付けられていることを特徴とする。
【０００７】
本発明の頭部形状取得方法は、上記の頭部形状記憶装置を用いて、前記各ピンの前記ドーム体の内部側の先端が頭部の三次元形状を取得するものであって、前記ドーム体を頭部に装着して各ピンを前記ドーム体内部側の先端が頭皮に当接するように挿入距離を調整した後、前記ドーム体を当該挿入距離を変えることなくまたは当該挿入距離を前記ピンに記憶させて頭部から取り外すことを特徴とする。
【０００８】
本発明の頭部形状取得方法では、前記各ピンのうちの一本の先端を、指を閉じた掌を額に横に当てたときの、正中線上の、眉上から第２指から第５指までの指幅合計幅分隔てた頭皮上の点に当接させることを特徴とする。
【０００９】
本発明の頭部形状復元方法では、上記の頭部形状記憶装置を用いたものであって、前記各ピンの前記ドーム体内部側の先端が頭部の三次元形状をなすように調整された前記頭部形状記憶装置の当該ドーム体の内部に固化後に削り出しが可能な成形材を注入するステップ、前記成形材が固化した後に、前記各ピンを前記ドーム体から抜き取り、またはピン先がドーム体内部側に突出しないように後退させるステップ、前記成形材を前記ドーム体から脱型するステップ、前記成形材に形成されている前記各ピンの前記ドーム体内部側の先端の痕跡に基づき、前記成形材を頭部形状に加工して頭部形状型を作成するステップを有することを特徴とする。
【００１０】
本発明の頭部形状復元方法では、さらに、前記頭部形状型を原型として、新たな頭部型を作成するステップを有することができる。
【００１１】
本発明の頭部形状復元方法では、前記原型をオス型とするメス型を作成し、当該メス型から前記新たな頭部型を作成することができる。
【００１２】
本発明の頭部形状復元方法では、前記メス型を２層の材料に作成するものであって、前記オス型の材料としてパラフィンを用い、前記メス型の内側層材料としてシリコンを、外側層として石膏を用いることができる。
【００１３】
なお、上記メジャーは、紙またはフィルムからなる複数のリニアメジャーと、各リニアメジャーのそれぞれを、長さ方向に摺動できるように保持する１本または複数本の保持体とを備えている。リニアメジャーは、保持体に対して一定の角度を保ちつつ摺動できるように構成することができる。
【００１４】
保持体は１本のリニアメジャーを保持するように構成されていてもよいし、２本以上のリニアメジャーを保持することができる。さらに、保持体は平板状に形成することができ、その一方の面には離型紙に被覆された粘着層を形成しておくことができる。また、保持体には、リニアメジャーを当該保持体に固定するための部材を設けることができる。
【発明を実施するための最良の形態】
【００１５】
本発明の頭部形状記憶装置の一実施形態を図１に示す。図１において頭部形状記憶装置１は、ドーム体１１と、多数のピン１２とからなる。ドーム体１１は、内側面の三次元形状が頭部を包み込む形状をなし、全体にわたり外部側から内部側に向けて多数の直線状細孔１３が連通形成されている。
【００１６】
ピン１２は、直線状細孔１３に摺動可能に挿入されて保持されることができるように、棒状をなし、その長さは、ドーム体１１の肉厚Hとドーム体の内側面・前記頭部表面間距離との和よりも長く形成されている。ピン１２には、挿入距離記憶片１４が取り付けられたものが含まれる。
【００１７】
図２（Ａ），（Ｂ）（Ｃ）、図３（Ｄ），（Ｅ），（Ｆ）、図３（Ｇ），（Ｈ）により、図１の頭部形状記憶装置１による本発明の頭部形状取得方法の一実施形態を説明する。頭部形状記憶装置１は、たとえば、かつら販売店から、かつら被用者に送付され、かつら被用者自らが以下に示すピンの調整を行うことができる。
【００１８】
図２（Ａ）に示すように、ピン１２（以下、一部のピンｐ１〜ｐ１３のみを示す）をドーム体１１の直線状細孔１３に挿通し、このドーム体１１を頭部に装着する。
【００１９】
次に、ピンのうちの一本（本実施形態ではピンｐ２）のドーム体１１内部側の先端を、生え際の正中線の交点に当接させる。この交点（生え際点Ｃ）は、後述するように、指を閉じた掌を額に横に当てたときの、正中線上の、眉上から第２指から第５指までの指幅合計幅分隔てた頭皮上の点である（図１０（Ａ）参照）。
【００２０】
そして、図２（Ｃ）に示すように、正中線上の最後部のピンｐ１３のドーム体１１内部側の先端を、頭皮に当接させて、ドーム体１１を頭部に位置固定した後、図３（Ｄ）に示すように残りの全てのピンのドーム体１１内部側の先端が頭皮に当接するように挿入距離を調整する。
【００２１】
本実施形態では、挿入距離記憶片１４は、一部のピン（図示の都合上、ｐ１〜ｐ４のみが示されている）について取り付けられているが、他のピン（図示の都合上、ｐ５〜ｐ１３のみが示されている）については取り付けられていない。
【００２２】
この後、図３（Ｅ）に示すように、挿入距離記憶片１４が取り付けられたピンｐ１〜ｐ４等を引き戻す。挿入距離記憶片１４は、図３（Ｄ）の状態でのピンの挿入距離を記憶する。
【００２３】
この後、図３（Ｆ）に示すように、ドーム体１１を、挿入距離記憶片１４が取り付けられていないピンｐ５〜ｐ１３等についてはピンの挿入距離を変えることなく頭部から取り外す。
【００２４】
図４（Ｇ）は、上記のようにして取りはずしたドーム体１１を示している。図４（Ｈ）に示すように、挿入距離記憶片１４が取り付けれているピンｐ１〜ｐ４等を、挿入距離記憶片１４がドーム体１１の外面に到達するまで挿入し直すことで、図３（Ｄ）のピン配置が再現される（すなわち、頭部形状が取得される）。すなわち、ピンｐ１〜ｐ４等の前記ドーム体１１の内部側の先端が頭部の三次元形状をなすように調整される。
【００２５】
このようにピンが調整されたドーム体１１は、販売店に返送される。
上記のようにして頭部形状が記憶された頭部形状記憶装置１１を用いた本発明の頭部形状復元方法を以下に説明する。
この復元方法では、まず、図４（Ｉ）に示すように図４（Ｈ）に示したドーム体１１の内部に、固化後に削り出しが可能な成形材（本実施形態ではパラフィン２１）を注入する。
パラフィン２１が固化した後に、図４（Ｊ）に示すように、各ピンを前記ドーム体から抜き取る（またはピン先がドーム体内部側に突出しないように後退させる）。これにより、固化パラフィン２１′には、ピンの抜き取りの痕跡（空洞）２２が形成される。
【００２６】
ついで、図５（Ｋ）に示すように、この固化パラフィン２１′をドーム体１１から脱型する。この後、図５（Ｌ）に示すように、固化パラフィン２１′に形成されている各ピンのドーム体１１内部側の先端の痕跡２２に基づき、固化パラフィン２１′を頭部形状に加工して頭部形状型２３を作成する。このとき、図５（Ｍ）に示すように、本実施形態では、ピンｐ２については、生え際点Ｃ（図２（Ｂ）参照）に対応する位置がわかるように、改めてマークとなる溝Ｐを穿設する。
【００２７】
この後、頭部形状型２３を原型として、新たな頭部型を作成する。すなわち、まず、図６（Ｎ）に示すように、頭部形状型２３の表面（頭部の三次元形状に相当する曲面部分）にシリコン２４を塗布する。このシリコン２４を塗布した頭部形状型２３をオス型として、図６（Ｏ）に示すように、容器２５内に石膏２６を流し込み、石膏２６が固化した後に、図６（Ｐ）に示すように頭部形状型２３を除去することで、新たな頭部型（メス型）を作成する。そして、図６（Ｑ）に示すようにこの頭部型内に発泡成形材を流し込むことで、図６（Ｒ）に示すような頭部形状復元体２７が形成される。
【００２８】
以下に、頭部形状復元体２７を用いて脱毛部分を特定するに際して使用できる三次元メジャーの第１構成を図７（Ａ）の分解図および図７（Ｂ）の組立て図により説明する。この三次元メジャーは、販売店から、上述した頭部形状記憶装置１とともに、たとえば、かつら販売店から、かつら被用者に送付され、かつら被用者自らが後述するリニアメジャーの切断を行うことができる。
【００２９】
図７（Ａ）に示す三次元メジャー３Ａは、紙により形成されたもので、保持体３１と、２本のリニアメジャー３２１，３２２とからなる。
【００３０】
保持体３１は、３枚の正方形片３１１，３１３，３１５と、正方形片３１１，３１３間に配置されるガイド片３１２ａ，３１２ｂと、正方形片３１３，３１５間に配置されるガイド片３１４ａ，３１４ｂとからなる。ガイド片３１２ａ，３１２ｂは正方形片３１１，３１３間に薄い空隙を形成し、リニアメジャー３２１は当該空隙に装着され、その長さ方向に摺動できる。また、ガイド片３１４ａ，３１４ｂは正方形片３１３，３１５間に、リニアメジャー３２１が装着される空隙とは直角となる薄い空隙を形成し、リニアメジャー３２２は当該空隙に装着され、その長さ方向に摺動できる。なお、保持体３１には、前後方向を示す適宜の目印を付することができ、リニアメジャー３２１，３２２の一方の面には、目盛が記載されている（図示しないが数値も記載されている）。
【００３１】
図７（Ｂ）は、図７（Ａ）に示した、正方形片３１１と、ガイド片３１２ａ，３１２ｂと、正方形片３１３と、ガイド片３１４ａ，３１４ｂと、正方形片３１５とを、貼り合わせ、リニアメジャー３２１，３２２を装着した様子を示している。図７（Ｂ）では、リニアメジャー３２１の裏面（ｂ）には、離型紙３３２で被覆された粘着層３３１が形成されている。この場合の、リニアメジャー３２１の表面（ａ）に記載される目盛は、図７（Ｃ）に示すように、粘着層３３１と重ならないよう、ゼロ点がリニアメジャー３２１から離れた位置に印刷されている。
【００３２】
三次元メジャー３Ａを用いることで、保持体３１を頭部の適宜個所に配置することで（通常は、リニアメジャー３２１が正中線上に配置されるように配置することで）、生え際点Ｃ（図２（Ｂ）参照）からの保持体３１までの距離、保持体から生え際までの距離を何回ででも測定することができ、測定結果を数値で記録することができる。
【００３３】
なお、第１構成例の三次元メジャー１Ａでは、２つのリニアメジャー３２１，３２２の双方が、保持体３１に対して移動できるように構成したが、一方のリニアメジャーを保持体３１に固定（貼着）するようにしてもよい。なお、リニアメジャー３２１の裏面（ｂ）に粘着層３３１を形成しないときは、図１０に示すように、保持体３１の裏面に離型紙３６２で被覆された粘着層３６１を形成するようにもできる。
【００３４】
次に、頭部形状復元体２７を用いて脱毛部分を特定するに際して使用できる三次元メジャーの第２構成を図８（Ａ），（Ｂ），（Ｃ）により説明する。
【００３５】
図８（Ｂ），（Ｃ）は、三次元メジャー３Ｂの表面図および裏面図であり、保持体３４と２本のリニアメジャー３２１，３２２とからなり、これらは第１構成例におけると同様、紙からなる。
【００３６】
保持体３４は、図８（Ａ）に示すように、４辺にスリット３４２が設けられた正方形片３４１からなり、図８（Ｂ），（Ｃ）に示したように、相対向する２組のスリットにそれぞれ、２つのリニアメジャー３２１，３２２がそれぞれ挿通されている。なお、保持体３４には、前後方向を示す適宜の目印を付することができ、リニアメジャー３２１，３２２の一方の面には、目盛が記載されている（図示しないが数値も記載されている）。
【００３７】
第２構成例では、２つのリニアメジャー３２１，３２２はそれぞれ、一方の辺のスリット３４２に裏面側から表面側に挿通され、正方形片３４１の表面側を通って、対向辺のスリット３４２に挿通されている。これにより、正方形片３４１の裏面の４スリットに囲まれる部分には、リニアメジャー３２１，３２２が表出していない。第２構成例では、第１構成例と同様リニアメジャー３２１の裏面には、離型紙３３２で被覆された粘着層３３１が形成されている。なお、第２構成例においても、リニアメジャー３２１の裏面に粘着層３３１を形成しないときは、図１０に示すように、正方形片３１の裏面に離型紙３６２で被覆された粘着層３６１を形成するようにもできる。
【００３８】
図７（Ｃ）に示すように、正方形片３４１の裏面に離型紙３５２で被覆された粘着層３５１が形成されている。
【００３９】
三次元メジャー３Ｂを用いることで、三次元メジャー３Ｂと同様、生え際点Ｃ（図２（Ｂ）参照）からの保持体３４までの距離、保持体３４から側部の生え際までの距離を何回でも測定することができ、測定結果を数値で記録することができる。
【００４０】
なお、第２構成例の三次元メジャー１Ｂでは、２つのリニアメジャー３２１，３２２の双方が、保持体３１に対して移動できるように構成したが、一方のリニアメジャーを保持体３１に固定（貼着）するようにしてもよい。
【００４１】
次に、頭部形状復元体２７を用いて脱毛部分を特定するに際して使用される三次元メジャーの第３構成を図９（Ａ），（Ｂ）により説明する。
【００４２】
図９（Ａ），（Ｂ）は、三次元メジャー３Ｃの表面図および裏面図であり、保持体３６と２本のリニアメジャー３２１，３２２とからなり、これらは第１構成例におけると同様、紙からなる。
【００４３】
図９（Ａ）に示す三次元メジャー３Ｃは、紙により形成されたもので、保持体３６と、２本のリニアメジャー３２１，３２２とからなる。
【００４４】
保持体３４は、２枚の正方形片からなり、これら正方形片間に２本のリニアメジャー３２１，３２２が挟着されている。図９（Ｂ）では、正方形片３６の表面に離型紙３７２で被覆された粘着層３７１が形成されている。第３構成例では、第１，第２構成例と同様リニアメジャー３２１の裏面には、離型紙３３２で被覆された粘着層３３１が形成されている。なお、第３構成例においても、リニアメジャー３２１の裏面に粘着層３３１を形成しないときは、図１０に示すように、正方形片３５の裏面に離型紙３６２で被覆された粘着層３６１を形成するようにもできる。
【００４５】
図７（Ａ）〜（Ｃ）に示した三次元メジャー３Ａの使用例を図１１（Ａ），（Ｂ）により説明する。
まず、図１１（Ａ）に示すように、リニアメジャー３２１の先端の離型紙３５２を剥がす。そして、リニアメジャー３２１が正中線上に位置する向きに配置して、その先端を、粘着層３５１により頭部の生え際の額部分に固定する。
【００４６】
次いで、両耳間を頭部の頂点を介して結ぶ線が正中線と交差する点（交点Ｃ：図５（Ｍ）の溝Ｐに対応する）に保持体１を位置させる。次いで、図１１（Ａ），（Ｂ）に示すように、この交点Ｃ部分（図５（Ｍ）の溝Ｐに対応する）でリニアメジャー３２１を切断するとともに、後頭部側の生え際点Ｄ部分においてもリニアメジャー３２１を切断する。さらに、図１１（Ａ），（Ｂ）に示すように、リニアメジャー３２１に直交するリニアメジャー３２２も、左右側頭部の生え際点Ｅ１，Ｅ２部分で切断する。
【００４７】
ここでの使用例では、リニアメジャー３２１，３２２を生え際で切断したが、切断せずに、マーカ等によりリニアメジャー３２１，３２２の生え際に相当する位置に目印を付するようにしてもよい。
【００４８】
なお、第２構成例の三次元メジャー３Ｂの使用方法は、第１構成例の三次元メジャー３Ａと同様である。また、第３構成例の三次元メジャー３Ｃは、第１，第２構成例のように、リニアメジャー３２１，３２２は、保持体３５を摺動できないので、予め、保持体３５を交点Ｃに位置合わせした後に、上記した切断、目印の付与等を行う。
【００４９】
図１０に示した保持体（３１，３４，３５）を備えた三次元メジャー３Ａ，３Ｂ，３Ｃを用いて生え際の特定を行う場合には、保持体を頭部の上記した交点Ｃに固定した後、ゑメジャーをずらしたり、または切断することで生え際を特定できる。
【００５０】
このようにして、リニアメジャー３２１，３２２が切断された三次元メジャー３Ｃは、生え際を特定できる。この三次元メジャー３Ａ，３Ｂあるいは３Ｃは、頭部形状記憶装置１とともに、かつら販売店に返送される。
【００５１】
かつら販売店等において行われる頭部形状復元体２７と三次元メジャー３Ａを用いた、頭部の生え際の特定方法を図１２（Ａ），（Ｂ），（Ｃ）により説明する。
すなわち、図１２（Ａ）に示すように、リニアメジャー３２１の生え際点Ｃ（図２（Ｂ）参照）のゼロ点を溝Ｐに一致させた状態で、図１１（Ａ），（Ｂ）に示したと同様に、リニアメジャー３２１を正中線に合わせる。これにより、リニアメジャー３２１の後頭部側の端部またはマーカによる目印部分が後頭部の生え際Ｄであり、リニアメジャー３２２の端部またはマーカによる目印部分が側頭部の生え際Ｅ１，Ｅ２である。なお、生え際点の特定は、被用者から送られてくる写真（Ｃ）を参照することもできる。
【００５２】
上記した実施形態では、三次元メジャー３Ａ，３Ｂ，３Ｃでは、保持体（３１，３４，３５）は１つであるが、保持体を複数個とし、この保持体にも三次元メジャーを設けることができる。図１３に、三次元メジャー３Ａに、保持体を３１′およびこの保持体に取り付けられたリニアメジャー３２２′を示している。
上記した実施形態では、三次元メジャー３Ａ，３Ｂ，３Ｃの、リニアメジャー３２１，３２２は、保持体（３１，３４，３５）に直交して配置されているが、斜めに配置することもできる。
【００５３】
なお、上記の実施例では、ドーム体にパラフィンを流し込む等により頭部形状を再現したが、図１４に示すようにレーザ装置等のピン先端検出装置８を用いて、ピンの先端を三次元測定し、測定データをコンピュータ９１により処理してディスプレイ９２に示すように頭部をディスプレイ上で再現することができ、また、この測定データを用いて、発泡体を自動切削して、頭部形状を再現することができる。
【図面の簡単な説明】
【００５４】
【図１】本発明の頭部形状記憶装置の一実施形態を示す図である。
【図２】（Ａ），（Ｂ）（Ｃ）は、図１の頭部形状記憶装置による本発明の頭部形状取得方法の一実施形態の前半を示す説明図である。
【図３】（Ｄ），（Ｅ），（Ｆ）は、図１の頭部形状記憶装置による本発明の頭部形状取得方法の一実施形態の後半を示す説明図である。
【図４】（Ｇ）は頭部形状を記憶したドーム体を示す図であり、（Ｈ），（Ｉ），（Ｊ）は、頭部形状復元方法の初期を示す説明図である。
【図５】（Ｋ），（Ｌ），（Ｍ），は頭部形状復元方法の中期を示す説明図である。
【図６】（Ｎ），（Ｏ），（Ｐ），（Ｑ），（Ｒ）は頭部形状復元方法の中期を示す説明図である。
【図７】（Ａ），（Ｂ），（Ｃ）は三次元メジャーの第１構成を示す図である。
【図８】（Ａ），（Ｂ），（Ｃ）は三次元メジャーの第２構成を示す図である。
【図９】（Ａ），（Ｂ）は三次元メジャーの第３構成を示す図である。
【図１０】粘着層を有する保持体を示す図である。
【図１１】（Ａ），（Ｂ）は、図７（Ａ），（Ｂ），（Ｃ）に示した三次元メジャーの使用例を示す図である。
【図１２】（Ａ），（Ｂ），（Ｃ）は、頭部形状復元体と三次元メジャーを用いた、頭部の生え際の特定方法の説明図である。
【図１３】複数の保持体を有する三次元メジャーを示す図である。
【図１４】ドーム体に取りつけられたピンの形状をレーザ装置、コンピュータにより再現するシステムを示す図である。
【符号の説明】
【００５５】
１  頭部形状記憶装置
８  ピン先端検出装置
１１  ドーム体
１２（ｐ１〜ｐ１２）  ピン
１３  直線状細孔
１４  挿入距離記憶片
２１  パラフィン
２１′  固化パラフィン
２２  痕跡（空洞）
２３  頭部形状型
２４  シリコン
２５  容器
２６  石膏
２７  頭部形状復元体
３１，３４，３５  保持体
９１  コンピュータ
９２  ディスプレイ
３１１，３１３，３１５  正方形片
３１２ａ，３１２ｂ，３１４ａ，３１４ｂ  ガイド片
３２１，３２２  リニアメジャー
３３１，３６１  粘着層
３３２，３６２  離型紙
【図１】
2005344269.tif 000003
【図２】
2005344269.tif 000004
【図３】
2005344269.tif 000005
【図４】
2005344269.tif 000006
【図５】
2005344269.tif 000007
【図６】
2005344269.tif 000008
【図７】
2005344269.tif 000009
【図８】
2005344269.tif 000010
【図９】
2005344269.tif 000011
【図１０】
2005344269.tif 000012
【図１１】
2005344269.tif 000013
【図１２】
2005344269.tif 000014
【図１３】
2005344269.tif 000015
【図１４】
2005344269.tif 000016